(57)【要約】【課題】  非常用備品の保管箱に、可能な限り多くの機能を付与し、災害が発生した際に使い易く、様々な事態に対応し得るようにする。【解決手段】  四角柱形状の段ボール箱の本体１の内部に補強板５ａ，５ｂ，５ｃ，５ｄを組み付け、防水機能を有するシートで袋状に構成した備品収納容器６に、保存食など含む非常用備品７を詰め込んで密封し、本体１の内部空間に収納することにより、水に浮かぶようにする。これによって、この非常用備品保管箱は、津波などの水害の際に救命具として使用できる。また本体上部の蓋に貫通孔を設けることにより、本体１内の内容物を取り出した後は、簡易トイレとして使用することもできる。【選択図】図１
2014234239.tif 000002
【特許請求の範囲】
【請求項１】
段ボールからなる四角柱形状の本体と、前記本体の側面の内側に配されてなる段ボールからなる補強板と、前記本体の上側の一方の対向する２辺に接合され、閉じた状態のほぼ中央部に第一の貫通孔を形成する切り欠きが設けられ、観音開きに構成されてなる第一の蓋と、前記本体の前記第一の蓋が接合されていない２辺の一方の辺に接合され、ほぼ中央に前記第一の貫通孔とほぼ同じ形状の貫通孔が設けられてなり、前記第一の蓋を覆う第二の蓋と、前記本体の前記第一の蓋が接合されていない２辺の他方の辺に接合され、前記第二の蓋を覆う第三の蓋を有することを特徴とする、非常用備品保管箱。
【請求項２】
前記本体内部の空間に、食品を含む非常用備品が封入された防水機能を有する袋状の容器が収納され、本体が水に浮かぶことを特徴とする、請求項１に記載の非常用備品保管箱。
【請求項３】
前記本体内部に排泄物を収容する手段を装着し、前記第三の蓋を開放し、前記第一の蓋と第二の蓋を便座として利用し得ることを特徴とする、請求項１または請求項２に記載の非常用備品保管箱。
【発明の詳細な説明】
【技術分野】
【０００１】  本発明は、災害などの非常時のために備蓄しておく、食料や応急医療品などを収納して保管するための箱に関わるもので、特に、保管箱以外の非常時に有用な機能を有する箱に関するものである。
【背景技術】
【０００２】  近年は、地球の温暖化に起因すると考えられる、局地的な豪雨などの異常気象の頻発や、長期的には必ず発生すると言われている巨大地震への備えが、必要となっている。これらの対策としては、建築物の補強や、治水に関するインフラストラクチャーの整備のようなハードウエアと、避難方法の策定とそれに基づく訓練のようなソフトウエアの、両方が欠くべからざるものとなっている。【０００３】  また、災害発生の際の備えとして、燃料、飲料水、食料などの一定以上の量の備蓄が重要となっている。その他にも、特に津波のような災害の際には、生活の基盤の殆どすべてが失われることが多く、非常用のトイレを確保することも、伝染病の蔓延のような二次災害を防ぐために必要である。一方で、津波災害を含む水害の場合は、的確な時機に避難することが肝要であるが、避難が遅れた際に、浮遊物につかまって救助を待つという場合も想定される。【０００４】  このような、災害に対処するための備品として、特許文献１には、災害発生直後でも炊飯が可能なように、小型の炊飯用缶に備蓄米を充填して密封した備蓄食糧品が開示されている。しかし、ここに開示されているのは備蓄米に特化したもので、他の物品の収納が殆ど考慮されていない点で、改良の余地がある。【０００５】  また、特許文献２には、段ボールを組み立てることにより、通常は収納箱として利用可能で、非常時には簡易トイレとして使用し得る構造体が開示されている。同様に段ボールを組み立てることにより、簡易トイレとして使用できる構造体が、他にも多数開示されている。しかしながら、いずれも構造がやや複雑で、組み立てに手数を要するという課題がある。【０００６】  また、災害時においては、様々な不測の事態が生起することがあり、非常用の備品を保管しておく箱は、機能が多い程、有用であることは論を俟たない。
【先行技術文献】
【特許文献】
【０００７】
【特許文献１】  特開２００７−３０６９０８号公報
【特許文献２】  特開２００６−２９６９２５号公報
【発明の概要】
【発明が解決しようとする課題】
【０００８】  従って、本発明の課題は、非常用備品の保管箱に、可能な限り多くの機能を付与し、災害が発生した際に使い易く、様々な事態に対応し得るようにすることである。
【課題を解決するための手段】
【０００９】  本発明は、前記課題に鑑み、非常用備品保管箱に、収納容器以外に簡易トイレなどとしての機能を具備させ、特に津波などの水害の際の避難に役に立つとともに、内部に水が浸入して、内容物が使用できない状態となることを防ぐことを検討した結果なされたものである。【００１０】  即ち、本発明は、段ボールからなる四角柱形状の本体と、前記本体の側面の内側に配されてなる段ボールからなる補強板と、前記本体の上側の一方の対向する２辺に接合され、閉じた状態のほぼ中央部に第一の貫通孔を形成する切り欠きが設けられ、観音開きに構成されてなる第一の蓋と、前記本体の前記第一の蓋が接合されていない２辺の一方の辺に接合され、ほぼ中央に前記第一の貫通孔とほぼ同じ形状の貫通孔が設けられてなり、前記第一の蓋を覆う第二の蓋と、前記本体の前記第一の蓋が接合されていない２辺の他方の辺に接合され、前記第二の蓋を覆う第三の蓋を有することを特徴とする、非常用備品保管箱である。【００１１】  また、本発明は、前記本体内部の空間に、食品を含む非常用備品が封入された防水機能を有する袋状の容器が収納され、本体が水に浮かぶことを特徴とする、前記の非常用備品保管箱である。【００１２】  また、本発明は、前記本体内部に排泄物を収容する手段を装着し、前記第三の蓋を開放し、前記第一の蓋と第二の蓋を便座として利用し得ることを特徴とする、前記の非常用備品保管箱である。
【発明の効果】
【００１３】  本発明に係る非常用備品保管箱は、本体内部に、例えばポリエチレンシートのような、短時間で透水を生じない素材で構成した袋に、非常用備品を詰め込んで、開口部を密封したものを収納してあるので、袋が破れない限り、一定の浮力を維持し、水に浮かぶものである。従って、津波などの水害で非難が遅れた場合に、救命具として機能する。詰め込む備品としては、レトルトパウチ食品などの保存食、消毒薬や包帯などの応急医療品、タオル、下着などの日用品が挙げられる。【００１４】  そして、本体内部に配置する補強板として、本体を構成する段ボールと合わせて十分な強度を有するものを用いることにより、人が座っても潰れなくすることが可能なので、第三の蓋を開放し、第二の蓋と第一の蓋を閉じた状態で形成される貫通孔を利用して、トイレの便座として使用可能である。その際、前記の非常用備品を詰めた袋を、排泄物の収容袋として使用できる。当然のことながら、消臭剤などを含む排泄物の収容手段を、別途に本体内に予め装入しておくことも可能である。【００１５】  また、補強板は、本体の側面の内部に配するが、本体の側面に接した状態で配してもよいし、側面と距離を設けて配してもよい。距離を設けて配した場合に生じる隙間には、畳んだタオルのような薄い備品を詰めることが可能なので、スペースが無駄になることはなく、隙間に、例えば発泡スチロールのような素材の、成形体や粒状体を充填することで、本体の浮力を大きくすることも可能である。【００１６】  また、本発明に係る非常用備品保管箱は、段ボールで構成された直方体または立方体の形状であり、緊密に並べたり、重ねたりできるので、保管の際の省スペースに寄与する。
【図面の簡単な説明】
【００１７】
【図１】  本発明に係る非常備品保管箱の一例の、概略を示す斜視図。
【図２】  本発明に係る非常用備品箱の一例における、補強板を本体の内部に挿入した状態を示す斜視図。
【図３】  本発明に係る非常用備品箱の一例における、第二の蓋を閉じた状態を示す斜視図。
【図４】  本発明に係る非常用備品箱の一例における、第二の蓋を閉じた状態を示す斜視図。
【発明を実施するための形態】
【００１８】  次に本発明の非常用備品保管箱の実施の形態について、具体的な図に基づいて説明する。
【００１９】  図１は本発明に係る非常備品保管箱の一例の、概略を示す斜視図である。図１において、１は本体、２ａ、２ｂは第一の蓋、３は第二の蓋、４は第三の蓋、５ａ、５ｂ、５ｃ、５ｄは補強板、６は備品収納容器、７はレトルトパウチ食品などの非常用備品、８は袋の密封部である。
【００２０】  図１に示したように本体１は、ほぼ立方体形状の段ボール箱であり、上側の４辺のそれぞれに、第一の蓋２ａ、２ｂ、第二の蓋３、第三の蓋４が接合されている。補強板５ａ、５ｂ、５ｃ、５ｄは段ボール板を、それぞれに設けた図示しないスリットを介して、井桁状に組み立ててあり、本体１の側面の内側と距離をおいて配されている。
【００２１】  図１に示した備品収納容器は、ポリエチレンシートを成形した袋であり、水に接した状態が余程の長期間でなければ、透水が殆ど起こらず、浮袋として機能する。そしてポリエチレンは、熱可塑性なので、超音波加熱などの手段で熱融着させ、開口部を密封でき、かつ人の力で破って、内容物を取り出すことができる。なお、備品収納容器は、ポリエチレンと同様の特性を具備するものであれば、他の素材でも構成することができるのは勿論である。
【００２２】  図２は、本発明に係る非常用備品箱の一例における、補強板５ａ、５ｂ、５ｃ、５ｄを本体１の内部に挿入した状態を示す斜視図である。また図３は、本発明に係る非常用備品箱の一例における、第一の蓋２ａ、２ｂを閉じた状態を示す斜視図である。図３に示したように、第一の蓋２ａ、２ｂは観音開きに開閉でき、閉じた状態で一つの貫通孔を形成する。そして、閉じた状態の第一に蓋の下には、補強板５ａ、５ｂ、５ｃ、５ｄが配されているので、これが支持部材となって、下側には開かない構成となっている。
【００２３】  図４は、本発明に係る非常用備品箱の一例における、第二の蓋３を閉じた状態を示す斜視図である。図４に示したように、第二の蓋３には、第一の蓋２ａ、２ｂが閉じた状態で形成される貫通孔とほぼ同じ形状の貫通孔が設けられているので、本発明に係る非常用備品保管箱を、簡易トイレとして使用する際の、便座を補強する機能を有する。
【００２４】  以上に説明したように本発明によれば、水害の際の救命具や、簡易トイレとしても使用できる、非常用備品保管箱を提供することができ、災害への備えに資するところは非常に大きいと言える。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２５】１…本体    ２ａ，２ｂ…第一の蓋    ３…第二の蓋    ４…第三の蓋
５ａ，５ｂ，５ｃ，５ｄ…補強板    ６…備品収納容器
７…非常用備品    ８…袋の密封部
【図１】
2014234239.tif 000003
【図２】
2014234239.tif 000004
【図３】
2014234239.tif 000005
【図４】
2014234239.tif 000006